(57)【特許請求の範囲】
【請求項１】
メインマイコンと、該メインマイコンと通信されるサブマイコンと、これらメインマイ
コン及びサブマイコンにより制御される又はメインマイコン及び／又はサブマイコンを動
作させるための周辺装置と、商用ＡＣ電源に接続／遮断され商用ＡＣ電源から供給される
電力を基に前記メインマイコン、サブマイコン、及び周辺装置を動作させるための電力を
生成する電源回路と、前記メインマイコン及び周辺装置へ電力を供給／遮断する指示を与
えるためにオン／オフ操作されるパワースイッチとを備え、
前記メインマイコン及び周辺装置は、前記サブマイコンによりオン／オフされる電源制
御スイッチを介して前記電源回路の電源供給ラインに接続され、
前記サブマイコンは、前記パワースイッチのオン／オフ操作を受けて、前記電源制御ス
イッチをオン／オフすることにより、前記電源回路から前記メインマイコン及び周辺装置
への電力供給を制御する電子機器において、
前記電源回路は、少なくとも３本の電源供給ラインを有し、
前記サブマイコンは、前記電源制御スイッチをオン／オフするための第１乃至第３の３
つの電源制御端子を有し、
前記電源制御スイッチは、前記少なくとも３本の電源ラインの各々に設けられると共に
前記サブマイコンの第１乃至第３の電源制御端子の何れかに接続され、各々、接続先の電
源制御端子の電圧レベルがハイレベルのときにオンして前記電源回路により生成された電
力を供給し、ローレベルのときにオフして電力供給を遮断し、
前記メインマイコンは、
前記パワースイッチのオン／オフ操作時に前記サブマイコンの第１乃至第３の電源制御
端子をハイレベル／ローレベルにするタイミングを示す電源制御データを、該メインマイ
コン内の書き換え可能ＲＯＭに予め記憶しており、前記電源回路から電力の供給を受ける
と、前記書き換え可能ＲＯＭに記憶している電源制御データをシリアル通信により前記サ
ブマイコンに伝達し、
前記電源制御データの通信内容は、１６ビットの情報から成り、４ビット単位で、前記
パワースイッチのオフ操作時に前記第２の電源制御端子をローレベルにするタイミングを
基準として前記第１の電源制御端子をローレベルにするタイミング、前記パワースイッチ
のオン操作時に前記第２の電源制御端子をハイレベルにするタイミングを基準として前記
第１の電源制御端子をハイレベルにするタイミング、前記パワースイッチのオフ操作時に
前記第２の電源制御端子をローレベルにするタイミングを基準として前記第３の電源制御
端子をローレベルにするタイミング、及び前記パワースイッチのオン操作時に前記第２の
電源制御端子をハイレベルにするタイミングを基準として前記第３の電源制御端子をハイ
レベルにするタイミングを示し、
これら各４ビットの情報において、最上位ビットにより、前記第２の電源制御端子より
も早くローレベル／ハイレベルにするか遅くローレベル／ハイレベルにするかの動作フラ
グを示し、下位３ビットにより、前記第２の電源制御端子よりも早く又は遅くローレベル
／ハイレベルにする時間を示し、
前記サブマイコンは、
前記パワースイッチのオン／オフ操作時に前記第１乃至第３の電源制御端子をハイレベ
ル／ローレベルにするタイミングを示すデフォルトの電源制御データを、該サブマイコン
内のマスクＲＯＭに予め記憶しており、前記電源回路が商用ＡＣ電源に接続された後、前
記メインマイコンから電源制御データが伝達されるまでの間に前記パワースイッチがオン
／オフ操作されると、前記マスクＲＯＭに記憶しているデフォルトの電源制御データに示
されるタイミングで前記第１乃至第３の電源制御端子をハイレベル／ローレベルにし、そ
の後、前記メインマイコンから電源制御データが伝達されると、その電源制御データを該
サブマイコン内のＲＡＭに記憶し、それ以降に前記パワースイッチがオン／オフ操作され
ると、前記ＲＡＭに記憶しているメインマイコンから伝達された電源制御データに示され
るタイミングで前記第１乃至第３の電源制御端子をハイレベル／ローレベルにすることを
特徴とする電子機器。
【請求項２】
メインマイコンと、該メインマイコンと通信されるサブマイコンと、これらメインマイ
コン及びサブマイコンにより制御される又はメインマイコン及び／又はサブマイコンを動
作させるための周辺装置と、前記メインマイコン、サブマイコン、及び周辺装置を動作さ
せるための電力を生成する電源回路と、前記メインマイコン及び周辺装置へ電力を供給／
遮断する指示を与えるためにオン／オフ操作されるパワースイッチとを備え、前記サブマ
イコンは、前記パワースイッチのオン／オフ操作を受けて、前記電源回路から前記メイン
マイコン及び周辺装置への電力供給を制御する電子機器において、
前記メインマイコンは、前記電源回路から前記メインマイコン及び周辺装置への電力供
給を制御する電源制御方法を示す電源制御データを通信により前記サブマイコンに伝達し
、前記電源制御データは、前記パワースイッチのオン／オフ操作時に前記メインマイコン
及び周辺装置へ電力を供給／遮断するタイミングを示すデータであり、
前記サブマイコンは、前記メインマイコンから伝達された電源制御データの示す電源制
御方法で、前記電源回路から前記メインマイコン及び周辺装置への電力供給を制御する、
ことを特徴とする電子機器。
【請求項３】
前記電源回路は、商用ＡＣ電源に接続／遮断され商用ＡＣ電源から供給される電力を基
に前記メインマイコン、サブマイコン、及び周辺装置を動作させるための電力を生成し、
前記メインマイコンは、
前記電源制御データを予め記憶しており、前記電源回路から電力の供給を受けると、前
記電源制御データを前記サブマイコンに伝達し、
前記サブマイコンは、
デフォルトの電源制御データを予め記憶しており、前記電源回路が商用ＡＣ電源に接続
された後、前記メインマイコンから電源制御データが伝達されるまでの間は、前記デフォ
ルトの電源制御データに示される電源制御方法で、前記電源回路から前記メインマイコン
及び周辺装置への電力供給を制御し、その後、前記メインマイコンから電源制御データが
伝達されると、その電源制御データを記憶し、それ以降は、前記メインマイコンから伝達
された電源制御データに示される電源制御方法で、前記電源回路から前記メインマイコン
及び周辺装置への電力供給を制御する、ことを特徴とする請求項２に記載の電子機器。
【発明の詳細な説明】
【技術分野】
【０００１】
本発明は、マインマイコンとサブマイコンとを備え、サブマイコンによりメインマイコン及び周辺装置への電力供給の制御を行う電子機器に関するものである。
【背景技術】
【０００２】
従来から、例えばＤＶＤレコーダ等のマインマイコンとサブマイコンとを備える電子機器において、サブマイコンによりメインマイコン及び周辺装置への電力供給の制御を行うようにしたものが知られている。このような電子機器においては、電力の供給を制御する電源制御方法に関するプログラムやデータは、サブマイコンのマスクＲＯＭに記憶されており、サブマイコンは、自身のマスクＲＯＭに記憶しているプログラムやデータを基にメインマイコン及び周辺装置への電力供給の制御を行っている。
【０００３】
また、サブＣＰＵにより電源制御回路の監視及び制御を行わせ、入出力装置で使用していない装置の電源を個別にオフするようにした電子機器が知られている（例えば特許文献１参照）。また、サブＣＰＵがメインＣＰＵからの指示を受けてＩＯ装置の電源を強制的にオフするようにした電子機器が知られている（例えば特許文献２参照）。さらに、１チップマイコンで構成されたシステム電源制御ユニットをメインＣＰＵとは別に設け、システム電源制御ユニットにより、カレンダ更新と電源制御をメインＣＰＵから独立して行うようにした電子機器が知られている（例えば特許文献３参照）。
【特許文献１】特開平４−３３３１１９号公報
【特許文献２】特開平１０−４９２６５号公報
【特許文献２】特開昭６４−１２３２１号公報
【発明の開示】
【発明が解決しようとする課題】
【０００４】
ところが、上述した従来の電子機器においては、サブマイコンはマスクＲＯＭ化を実施しているため、サブマイコンのマスクＲＯＭに記憶されている電源制御方法に関するプログラムやデータを書換えることができない。このため、メインマイコンや周辺装置が電源供給時に正常に動作しないなどの問題発生等により電源制御方法を変更する必要が生じた場合、その都度、サブマイコンのマスクＲＯＭ化のやり直しを実施しなければならず、納期の遅れやコスト増が問題となる。なお、上述した特許文献１乃至特許文献３に開示の内容を適用したとしても、上記の課題を解決することはできない。
【０００５】
本発明は、上記課題を解決するためになされたものであり、サブマイコンによる電源制御方法を変更することができる電子機器を提供することを目的とする。
【課題を解決するための手段】
【０００６】
上記目的を達成するために請求項１の発明は、メインマイコンと、該メインマイコンと通信されるサブマイコンと、これらメインマイコン及びサブマイコンにより制御される又はメインマイコン及び／又はサブマイコンを動作させるための周辺装置と、商用ＡＣ電源に接続／遮断され商用ＡＣ電源から供給される電力を基にメインマイコン、サブマイコン、及び周辺装置を動作させるための電力を生成する電源回路と、メインマイコン及び周辺装置へ電力を供給／遮断する指示を与えるためにオン／オフ操作されるパワースイッチとを備え、メインマイコン及び周辺装置は、サブマイコンによりオン／オフされる電源制御スイッチを介して電源回路の電源供給ラインに接続され、サブマイコンは、パワースイッチのオン／オフ操作を受けて、電源制御スイッチをオン／オフすることにより、電源回路からメインマイコン及び周辺装置への電力供給を制御する電子機器において、電源回路は、少なくとも３本の電源供給ラインを有し、サブマイコンは、電源制御スイッチをオン／オフするための第１乃至第３の３つの電源制御端子を有し、電源制御スイッチは、少なくとも３本の電源ラインの各々に設けられると共にサブマイコンの第１乃至第３の電源制御端子の何れかに接続され、各々、接続先の電源制御端子の電圧レベルがハイレベルのときにオンして電源回路により生成された電力を供給し、ローレベルのときにオフして電力供給を遮断し、メインマイコンは、パワースイッチのオン／オフ操作時にサブマイコンの第１乃至第３の電源制御端子をハイレベル／ローレベルにするタイミングを示す電源制御データを、該メインマイコン内の書き換え可能ＲＯＭに予め記憶しており、電源回路から電力の供給を受けると、書き換え可能ＲＯＭに記憶している電源制御データをシリアル通信によりサブマイコンに伝達し、電源制御データの通信内容は、１６ビットの情報から成り、４ビット単位で、パワースイッチのオフ操作時に第２の電源制御端子をローレベルにするタイミングを基準として第１の電源制御端子をローレベルにするタイミング、パワースイッチのオン操作時に第２の電源制御端子をハイレベルにするタイミングを基準として第１の電源制御端子をハイレベルにするタイミング、パワースイッチのオフ操作時に第２の電源制御端子をローレベルにするタイミングを基準として第３の電源制御端子をローレベルにするタイミング、及びパワースイッチのオン操作時に第２の電源制御端子をハイレベルにするタイミングを基準として第３の電源制御端子をハイレベルにするタイミングを示し、これら各４ビットの情報において、最上位ビットにより、第２の電源制御端子よりも早くローレベル／ハイレベルにするか遅くローレベル／ハイレベルにするかの動作フラグを示し、下位３ビットにより、第２の電源制御端子よりも早く又は遅くローレベル／ハイレベルにする時間を示し、サブマイコンは、パワースイッチのオン／オフ操作時に第１乃至第３の電源制御端子をハイレベル／ローレベルにするタイミングを示すデフォルトの電源制御データを、該サブマイコン内のマスクＲＯＭに予め記憶しており、電源回路が商用ＡＣ電源に接続された後、メインマイコンから電源制御データが伝達されるまでの間にパワースイッチがオン／オフ操作されると、マスクＲＯＭに記憶しているデフォルトの電源制御データに示されるタイミングで第１乃至第３の電源制御端子をハイレベル／ローレベルにし、その後、メインマイコンから電源制御データが伝達されると、その電源制御データを該サブマイコン内のＲＡＭに記憶し、それ以降にパワースイッチがオン／オフ操作されると、ＲＡＭに記憶しているメインマイコンから伝達された電源制御データに示されるタイミングで第１乃至第３の電源制御端子をハイレベル／ローレベルにするものである。
【０００７】
請求項２の発明は、メインマイコンと、該メインマイコンと通信されるサブマイコンと
、これらメインマイコン及びサブマイコンにより制御される又はメインマイコン及び／又
はサブマイコンを動作させるための周辺装置と、メインマイコン、サブマイコン、及び周
辺装置を動作させるための電力を生成する電源回路と、メインマイコン及び周辺装置へ電
力を供給／遮断する指示を与えるためにオン／オフ操作されるパワースイッチとを備え、
サブマイコンは、パワースイッチのオン／オフ操作を受けて、電源回路からメインマイコ
ン及び周辺装置への電力供給を制御する電子機器において、メインマイコンは、電源回路
からメインマイコン及び周辺装置への電力供給を制御する電源制御方法を示す電源制御デ
ータを通信によりサブマイコンに伝達し、電源制御データは、パワースイッチのオン／オ
フ操作時にメインマイコン及び周辺装置へ電力を供給／遮断するタイミングを示すデータ
であり、サブマイコンは、メインマイコンから伝達された電源制御データの示す電源制御
方法で、電源回路からメインマイコン及び周辺装置への電力供給を制御するものである。
【０００８】
請求項３の発明は、請求項２に記載の電子機器において、電源回路は、商用ＡＣ電源に接続／遮断され商用ＡＣ電源から供給される電力を基にメインマイコン、サブマイコン、及び周辺装置を動作させるための電力を生成し、メインマイコンは、電源制御データを予め記憶しており、電源回路から電力の供給を受けると、電源制御データをサブマイコンに伝達し、サブマイコンは、デフォルトの電源制御データを予め記憶しており、電源回路が商用ＡＣ電源に接続された後、メインマイコンから電源制御データが伝達されるまでの間は、デフォルトの電源制御データに示される電源制御方法で、電源回路からメインマイコン及び周辺装置への電力供給を制御し、その後、メインマイコンから電源制御データが伝達されると、その電源制御データを記憶し、それ以降は、メインマイコンから伝達された電源制御データに示される電源制御方法で、電源回路からメインマイコン及び周辺装置への電力供給を制御するものである。
【発明の効果】
【０００９】
請求項１の発明によれば、サブマイコンはメインマイコンから伝達される電源制御データの示す電源制御方法で電力供給を制御するため、メインマイコンから伝達する電源制御データの内容を変更すれば、サブマイコンによる電源制御方法が変更される。従って、メインマイコンや周辺装置が電源供給時に正常に動作しないなどの問題発生等により電源制御方法を変更する必要が生じた場合、サブマイコンのマスクＲＯＭ化を発注しなくても、メインマイコンから伝達する電源制御データの内容を変更することにより、電源制御方法を変更することができ、納期の遅れやコスト増を低減することができる。しかも、商用ＡＣ電源に接続されてメインマイコンに電力が供給されると、電源制御データがメインマイコンからサブマイコンに伝達されて、それ以降は、その電源制御データに示される電源制御方法でサブマイコンにより電力供給が制御される。従って、メインマイコンに記憶している電源制御データの内容を変更するだけで電源制御方法の変更が適用され、これにより、簡単で容易な作業により電源制御方法を変更することができ、納期の遅れやコスト増をより一層低減することができる。さらに、メインマイコンからサブマイコンに通信される電源制御データは、第２の電源制御端子を基準として第１及び第３の電源制御端子をローレベル／ハイレベルにするタイミングを示しており、また、これらのタイミングは、第２の電源制御端子よりも早くするか遅くするかの動作フラグ及び第２の電源制御端子よりも早くする又は遅くする時間によって示されているため、通信内容が簡素であると共に通信容量が少なくて済み、メインマイコン及びサブマイコンの動作の負担にならない。
【００１０】
請求項２の発明によれば、サブマイコンはメインマイコンから伝達される電源制御データの示す電源制御方法で電力供給を制御するため、メインマイコンから伝達する電源制御データの内容を変更すれば、サブマイコンによる電源制御方法が変更される。従って、回路基板の問題発生等により電源制御方法を変更する必要が生じた場合、サブマイコンのマスクＲＯＭ化を発注しなくても、メインマイコンから伝達する電源制御データの内容を変更することにより、電源制御方法を変更することができ、納期の遅れやコスト増を低減することができる。
【００１１】
請求項３の発明によれば、商用ＡＣ電源に接続されてメインマイコンに電力が供給されると、電源制御データがメインマイコンからサブマイコンに伝達されて、それ以降は、その電源制御データに示される電源制御方法でサブマイコンにより電力供給が制御される。従って、メインマイコンに記憶している電源制御データの内容を変更するだけで電源制御方法の変更が適用され、これにより、簡単で容易な作業により電源制御方法を変更することができ、納期の遅れやコスト増をより一層低減することができる。
【発明を実施するための最良の形態】
【００１２】
以下、本発明を具体化した実施形態による電子機器について図面を参照して説明する。図１は、電子機器であるＤＶＤレコーダの構成を示す。ＤＶＤレコーダ１は、放送局から発信されるテレビ放送信号を受信して、テレビ放送信号により配信される映像や音声などの情報をＤＶＤ２に記録し、また、ＤＶＤ２に記録された映像や音声などの情報を不図示のディスプレイ及びスピーカにて再生する装置である。
【００１３】
ＤＶＤレコーダ１は、ＤＶＤレコーダ１を制御するためのメインマイコン３及びサブマイコン４と、ＤＶＤレコーダ１を動作させるための電力を生成する電源回路５と、ＤＶＤレコーダ１を起動するためのパワースイッチ６と、第１のレギュレータ７と、第２のレギュレータ８と、ＤＤＲＳＤＲＡＭ９と、チューナ１０と、ＡＶ信号処理部１１と、リモコン１２と、リモコン受信部１３と、ＦＬ表示管１４と、ＤＶＤローダ１５とを備える。
【００１４】
メインマイコン３、第１のレギュレータ７、第２のレギュレータ８、及びＤＤＲＳＤＲＡＭ９は、メイン基板３０に配置されており、サブマイコン４、電源回路５、パワースイッチ６、チューナ１０、ＡＶ信号処理部１１、リモコン１２、リモコン受信部１３、及びＦＬ表示管１４は、ＡＶ基板４０に配置されている。ＤＤＲＳＤＲＡＭ９、及びＤＶＤローダ１５は、メインマイコン３により制御される周辺装置であり、チューナ１０、ＡＶ信号処理部１１、及びＦＬ表示管１４は、サブマイコン４により制御される周辺装置である。また、第１のレギュレータ７、及び第２のレギュレータ８は、メインマイコン３を動作させるための周辺装置であり、パワースイッチ６、リモコン１２、及びリモコン受信部１３は、サブマイコン４を動作させるための周辺装置である。
【００１５】
電源回路５は、ＡＣコンセント５ａを商用ＡＣ電源５０に接続することにより商用ＡＣ電源５０からＡＣ電力が供給され、そのＡＣ電力を基にＤＶＤレコーダ１を動作させるための電力を生成する。電源回路５は、５本の電源供給ライン５１〜５５を有しており、商用ＡＣ電源５０から供給される電力を基に３．３ｖ電力、２．５ｖ電力、１．５ｖ電力、１．２ｖ電力、及び待機電力を生成し、３．３ｖ電力を電源供給ライン５１により供給し、２．５ｖ電力を電源供給ライン５２により供給し、１．５ｖ電力を電源供給ライン５３により供給し、１．２ｖ電力を電源供給ライン５４により供給し、待機電力を電源供給ライン５５により供給する。
【００１６】
電源回路５の電源供給ライン５１には、電源制御スイッチ６１が設けられ、電源供給ライン５２には、電源制御スイッチ６２が設けられ、電源供給ライン５３には、電源制御スイッチ６３が設けられ、電源供給ライン５４には、電源制御スイッチ６４が設けられている。サブマイコン４は、電源制御スイッチ６１〜６４をオン／オフするための「ＲＥＧ＿ＣＴＲＬ１」「ＲＥＧ＿ＣＴＲＬ２」「ＰＷＳＷ」の３つの電源制御端子４１、４２、４３を有しており、電源制御スイッチ６１は、サブマイコン４の電源制御端子「ＲＥＧ＿ＣＴＲＬ１」４１に接続され、電源制御スイッチ６２及び６３は、サブマイコン４の電源制御端子「ＲＥＧ＿ＣＴＲＬ２」４２に接続され、電源制御スイッチ６４は、サブマイコン４の電源制御端子「ＰＷＳＷ」４３に接続されている。
【００１７】
パワースイッチ６は、ＤＶＤレコーダ１を起動するためにユーザによりオン／オフ操作される。パワースイッチ６がオン／オフ操作されると、そのオン／オフ信号がサブマイコン４に入力される。
【００１８】
第１のレギュレータ７は、メインマイコン３に供給する電力の電圧を安定化する。メインマイコン３及び第１のレギュレータ７は、電源制御スイッチ６１を介して、電源回路５の電源供給ライン５１に接続されている。第２のレギュレータ８は、ＤＤＲＳＤＲＡＭ９に供給する電力の電圧を安定化する。第２のレギュレータ８及びＤＤＲＳＤＲＡＭ９は、電源制御スイッチ６２を介して、電源回路５の電源供給ライン５２に接続されている。
【００１９】
チューナ１０は、サブマイコン４による制御のもと、放送局から配信されるテレビ放送信号を受信する。ＡＶ信号処理部１１は、サブマイコン４による制御のもと、チューナ１０で受信したテレビ放送信号に含まれる映像、音声信号及びＤＶＤローダ１５から再生された映像、音声信号を処理する。チューナ１０及びＡＶ信号処理部１１は、電源制御スイッチ６４を介して、電源回路５の電源供給ライン５４に接続されている。
【００２０】
リモコン１２は、テレビ放送信号の受信チャンネルの選択、テレビ放送信号により配信される映像・音声のＤＶＤ２への記録、ＤＶＤ２に記録されている映像・音声の再生等、ＤＶＤレコーダ１の各種動作を指示するためにユーザにより操作される。リモコン１２は、ＤＶＤレコーダ１の各種動作を指示するためにユーザに操作される各種操作キーを備えており、各種操作キーが操作されることにより、その操作に対応付けられた赤外線信号を送出する。なお、リモコン１２にも、ＤＶＤレコーダ１を起動するための（すなわち上記パワースイッチ６と同様の役割を担う）スイッチ（付図示）が備えられている。リモコン１２は、リモコン１２に内蔵の電池の電力により動作する。
【００２１】
リモコン受信部１３は、リモコン１２から送出される赤外線信号を受信して電気信号に変換し、リモコン１２の操作に対応する信号をサブマイコン４へ出力する。ＦＬ表示管１４は、サブマイコン４による制御のもと、日付け、時刻、テレビ放送信号の受信チャンネル、録画動作中である旨などを表示する。サブマイコン４、リモコン受信部１３、及びＦＬ表示管１４は、電源回路５の電源供給ライン５５に接続されている。
【００２２】
ＤＶＤローダ１５は、メインマイコン３による制御のもと、ＤＶＤ２に情報を記録し、また、ＤＶＤ２に記録されている情報を読取って再生する。ＤＶＤローダ１５は、電源制御スイッチ６３を介して、電源回路５の電源供給ライン５３に接続されている。
【００２３】
電源制御スイッチ６１は、サブマイコン４の電源制御端子４１の電圧レベルがハイレベルのときにオンして、電源回路５により生成された３．３ｖの電力をメインマイコン３及び第１のレギュレータ７に供給し、ローレベルのときにオフして、メインマイコン３及び第１のレギュレータ７への電力供給を遮断する。
【００２４】
電源制御スイッチ６２は、サブマイコン４の電源制御端子４２の電圧レベルがハイレベルのときにオンして、電源回路５により生成された２．５ｖの電力を第２のレギュレータ８及びＤＤＲＳＤＲＡＭ９に供給し、ローレベルのときにオフして、第２のレギュレータ８及びＤＤＲＳＤＲＡＭ９への電力供給を遮断する。
【００２５】
電源制御スイッチ６３は、サブマイコン４の電源制御端子４２の電圧レベルがハイレベルのときにオンして、電源回路５により生成された１．５ｖの電力をＤＶＤローダ１５に供給し、ローレベルのときにオフして、ＤＶＤローダ１５への電力供給を遮断する。
【００２６】
電源制御スイッチ６４は、サブマイコン４の電源制御端子４３の電圧レベルがハイレベルのときにオンして、電源回路５により生成された１．２ｖの電力をチューナ１０及びＡＶ信号処理部１１に供給し、ローレベルのときにオフして、チューナ１０及びＡＶ信号処理部１１への電力供給を遮断する。
【００２７】
メインマイコン３とサブマイコン４は、相互に通信して、ＤＶＤレコーダ１の動作を制御する。また、サブマイコン４は、パワースイッチ６のオン／オフ操作を受けて、ＤＶＤレコーダ１を動作させるための電力の供給を制御する。
【００２８】
サブマイコン４は、パワースイッチ６がオン操作されると、電源制御端子４１〜４３の電圧レベルをハイレベルにして、電源制御スイッチ６１〜６４をオンにする。これにより、電源回路５からメインマイコン３、第１のレギュレータ７、第２のレギュレータ８、ＤＤＲＳＤＲＡＭ９、チューナ１０、ＡＶ信号処理部１１、及びＤＶＤローダ１５に電力が供給される。また、サブマイコン４は、パワースイッチ６がオフ操作されると、電源制御端子４１〜４３の電圧レベルをローレベルにして、電源制御スイッチ６１〜６４をオフにする。これにより、電源回路５からメインマイコン３、第１のレギュレータ７、第２のレギュレータ８、ＤＤＲＳＤＲＡＭ９、チューナ１０、ＡＶ信号処理部１１、及びＤＶＤローダ１５への電力供給が遮断される。
【００２９】
すなわち、パワースイッチ６をオン／オフ操作することにより、ＤＶＤレコーダ１を動作させるための電力を供給／遮断する指示（すなわちＤＶＤレコーダ１を起動／動作停止させる指示）がサブマイコン４に与えられ、サブマイコン４は、その指示を受けて、メインマイコン３、第１のレギュレータ７、第２のレギュレータ８、ＤＤＲＳＤＲＡＭ９、チューナ１０、ＡＶ信号処理部１１、及びＤＶＤローダ１５への電力の供給／遮断を制御する。このとき、サブマイコン４は、パワースイッチ６のオン／オフ操作を受けて、電源制御端子４１〜４３を個別のタイミングでハイレベル／ローレベルにすることにより、電源制御スイッチ６１〜６４を個別のタイミングでオン／オフし、これにより、メインマイコン３、第１のレギュレータ７、第２のレギュレータ８、ＤＤＲＳＤＲＡＭ９、チューナ１０、ＡＶ信号処理部１１、及びＤＶＤローダ１５に対して、個別のタイミングで電力を供給／遮断する。
【００３０】
なお、サブマイコン４、リモコン受信部１３、及びＦＬ表示管１４は、電源回路５の電源供給ライン５５に接続されており、パワースイッチ６がオフの状態のときも、電源供給ライン５５を介して待機電力が供給されて動作するようになっている。
【００３１】
メインマイコン３は、パワースイッチ６のオン／オフ操作時にサブマイコン４の電源制御端子４１〜４３をハイレベル／ローレベルにするタイミング（すなわち電源制御方法）を示す電源制御データを、メインマイコン３内の書き換え可能ＲＯＭに予め記憶しており、電源回路５から（第１のレギュレータ７から）電力の供給を受けると、その電源制御データをシリアル通信によりサブマイコン４に伝達する。
【００３２】
サブマイコン４は、メインマイコン３から電源制御データが伝達されると、その電源制御データをサブマイコン４内のＲＡＭに記憶し、それ以降、パワースイッチ６がオン／オフ操作されると、その電源制御データに示されるタイミング（すなわちメインマイコン３から伝達されＲＡＭに記憶した電源制御方法）で電源制御端子４１〜４３をハイレベル／ローレベルにする。
【００３３】
なお、メインマイコン３内の書き換え可能ＲＯＭに記憶されている電源制御データは、メインマイコン３への電力供給が断たれても消えることがなく、また、メインマイコン３に書き換え信号を入力することにより書き換えることができる。一方、サブマイコン４内のＲＡＭに記憶された電源制御データは、サブマイコン４への電力供給が断たれると（すなわち商用ＡＣ電源５０から電源回路５への電力供給が断たれると）消える。このため、サブマイコン４は、デフォルトの電源制御データをサブマイコン４内のマスクＲＯＭに予め記憶しており、サブマイコン４への電力供給が開始された後（すなわち商用ＡＣ電源５０から電源回路５への電力供給が開始された後）メインマイコン３から電源制御データが伝達されるまでの間は、パワースイッチ６がオン／オフ操作されると、マスクＲＯＭに記憶しているデフォルトの電源制御データに示されるタイミングで電源制御端子４１〜４３をハイレベル／ローレベルにする。サブマイコン４内のマスクＲＯＭに記憶しているデフォルトの電源制御データは、サブマイコン４への電力供給が断たれても消えることがなく、また、書き換えることはできない。
【００３４】
図２は、上記メインマイコン３からサブマイコン４に伝達される電源制御データの通信内容を示す。電源制御データの通信内容は、「ｂ１５」「ｂ１４」・・・「ｂ１」「ｂ０」の２バイト（１６ビット）の情報から成っている。この２バイトの情報の上位１バイト（「ｂ１５」〜「ｂ８」）は、電源制御端子「ＲＥＧ＿ＣＴＲＬ２」４２を基準とした電源制御端子「ＲＥＧ＿ＣＴＲＬ１」４１の制御方法を示し、下位１バイト（「ｂ７」〜「ｂ０」）は、電源制御端子「ＲＥＧ＿ＣＴＲＬ２」４２を基準とした電源制御端子「ＰＷＳＷ」４３の制御方法を示している。そして、各バイトの上位４ビット（「ｂ１５」〜「ｂ１２」及び「ｂ７〜ｂ４」）は、パワースイッチ６がオフ操作されたときの制御方法を示し、下位４ビット（「ｂ１１」〜「ｂ８」及び「ｂ３〜ｂ０」）は、パワースイッチ６がオン操作されたときの制御方法を示している。
【００３５】
つまり、電源制御データの通信内容は、１６ビットの情報から成り、４ビット単位で、（１）最初の４ビット（「ｂ１５」〜「ｂ１２」）により、パワースイッチ６のオフ操作時に電源制御端子「ＲＥＧ＿ＣＴＲＬ２」４２をローレベルにするタイミングを基準として電源制御端子「ＲＥＧ＿ＣＴＲＬ１」４１をローレベルにするタイミングを示し、（２）次の４ビット（「ｂ１１」〜「ｂ８」）により、パワースイッチ６のオン操作時に電源制御端子「ＲＥＧ＿ＣＴＲＬ２」４２をハイレベルにするタイミングを基準として電源制御端子「ＲＥＧ＿ＣＴＲＬ１」４１をハイレベルにするタイミングを示し、（３）さらに次の４ビット（「ｂ７〜ｂ４」）により、パワースイッチ６のオフ操作時に電源制御端子「ＲＥＧ＿ＣＴＲＬ２」４２をローレベルにするタイミングを基準として電源制御端子４３「ＰＷＳＷ」をローレベルにするタイミングを示し、（４）最後の４ビット（「ｂ３〜ｂ０」）により、パワースイッチ６のオン操作時に電源制御端子「ＲＥＧ＿ＣＴＲＬ２」４２をハイレベルにするタイミングを基準として電源制御端子「ＰＷＳＷ」４３をハイレベルにするタイミングを示している。
【００３６】
さらに、これら各４ビット（「ｂ１５」〜「ｂ１２」、「ｂ１１」〜「ｂ８」、「ｂ７〜ｂ４」、及び「ｂ３〜ｂ０」）の情報において、最上位ビット（「ｂ１５」、「ｂ１１」、「ｂ７」、及び「ｂ３」）により、「電源制御端子「ＲＥＧ＿ＣＴＲＬ２」４２よりも早くローレベル／ハイレベルにする」か又は「電源制御端子「ＲＥＧ＿ＣＴＲＬ２」４２よりも遅くローレベル／ハイレベルにする」かの「動作フラグ」を示し、下位３ビット（「ｂ１４」〜「ｂ１２」、「ｂ１０」〜「ｂ８」、「ｂ６〜ｂ４」、及び「ｂ２〜ｂ０」）により、「電源制御端子「ＲＥＧ＿ＣＴＲＬ２」４２よりも早く又は遅くローレベル／ハイレベルにする時間」の「時間データ」を示している。
【００３７】
つまり、各４ビットの情報の最上位ビットである「動作フラグ」は、「０」又は「１」の値をとり、「０」の場合は、「電源制御端子「ＲＥＧ＿ＣＴＲＬ２」４２よりも早くローレベル／ハイレベルにする」ことを示し、「１」の場合は、「電源制御端子「ＲＥＧ＿ＣＴＲＬ２」４２よりも遅くローレベル／ハイレベルにする」ことを示している。また、各４ビットの情報の下位３ビットである「時間データ」は、２進数表示で「０００」から「１１１」（１０進数表示では０〜７）の値をとり、その値で示される時間（単位は１０ｍｓ）だけ、電源制御端子「ＲＥＧ＿ＣＴＲＬ２」４２よりも早く又は遅くローレベル／ハイレベルにすることを示している。例えば、「時間データ」が「００１」の場合は１０ｍｓ、「１１１」の場合は７０ｍｓ、電源制御端子「ＲＥＧ＿ＣＴＲＬ２」４２よりも早く又は遅くローレベル／ハイレベルにすることを示している。なお、「時間データ」が「０００」の場合は、「動作フラグ」に関わらず電源制御端子「ＲＥＧ＿ＣＴＲＬ２」４２と同じタイミングでローレベル／ハイレベルにすることを示している。
【００３８】
メインマイコン３は、このような「動作フラグ」と「時間データ」を電源制御データとしてメインマイコン３内の書き換え可能ＲＯＭに記憶しており、電源回路５から（第１のレギュレータ７から）電力の供給を受けると、このような通信形態で電源制御データをサブマイコン４に送信する。そして、サブマイコン４は、メインマイコン３から電源制御データを受信すると、上述のように、その電源制御データをサブマイコン４内のＲＡＭに記憶し、その電源制御データ（「動作フラグ」と「時間データ」）に示されるタイミングで電源制御端子４１〜４３の電圧レベルを制御する。
【００３９】
図３は、上記サブマイコン４による電源制御端子４１〜４３の制御動作を示す。なお、図３では、メインマイコン３からサブマイコン４に通信される電源制御データの通信内容が「１００１０００１１０１０００００」である場合の例を示している。この場合、最初の４ビットは「１００１」、次の４ビットは「０００１」、さらに次の４ビットは「１０１０」、最後の４ビットは「００００」となっている。そして、最初の４ビット「１００１」は、その最上位ビットの「動作フラグ」が「１」、その下位３ビットの「時間データ」が「００１」となっている。また、次の４ビット「０００１」は、その最上位ビットの「動作フラグ」が「０」、その下位３ビットの「時間データ」が「００１」となっており、さらに次の４ビット「１０１０」は、その最上位ビットの「動作フラグ」が「１」、その下位３ビットの「時間データ」が「０１０」となっており、最後の４ビット「００００」は、その最上位ビットの「動作フラグ」が「０」、その下位３ビットの「時間データ」が「０００」となっている。
【００４０】
すなわち、この電源制御データの通信内容は、最初の４ビット「１００１」の値により、「パワースイッチ６のオフ操作時に電源制御端子「ＲＥＧ＿ＣＴＲＬ１」４１を電源制御端子「ＲＥＧ＿ＣＴＲＬ２」４２よりも１０ｍｓ遅くローレベルにする」ことを示している。また、この電源制御データの通信内容は、次の４ビット「０００１」の値により、「パワースイッチ６のオン操作時に電源制御端子「ＲＥＧ＿ＣＴＲＬ１」４１を電源制御端子「ＲＥＧ＿ＣＴＲＬ２」４２よりも１０ｍｓ早くハイレベルにする」ことを示し、さらに次の４ビット「１０１０」の値により、「パワースイッチ６のオフ操作時に電源制御端子「ＰＷＳＷ」４３を電源制御端子「ＲＥＧ＿ＣＴＲＬ２」４２よりも２０ｍｓ遅くローレベルにする」ことを示し、最後の４ビット「００００」の値により、「パワースイッチ６のオン操作時に電源制御端子「ＰＷＳＷ」４３を電源制御端子「ＲＥＧ＿ＣＴＲＬ２」４２と同時にローレベルにする」ことを示している。
【００４１】
従って、電源制御データの通信内容が「１００１０００１１０１０００００」である場合、サブマイコン４は、図３に示すように、パワースイッチ６のオン操作時には、まず最初に電源制御端子「ＲＥＧ＿ＣＴＲＬ１」４１をハイレベルにし、その１０ｍｓ後に電源制御端子「ＲＥＧ＿ＣＴＲＬ２」４２と電源制御端子「ＰＷＳＷ」４３を同時にハイレベルにする。また、パワースイッチ６のオフ操作時には、まず最初に電源制御端子「ＲＥＧ＿ＣＴＲＬ２」４２をローレベルにし、その１０ｍｓ後に電源制御端子「ＲＥＧ＿ＣＴＲＬ１」４１をローレベルにし、さらにその１０ｍｓ後に電源制御端子「ＰＷＳＷ」４３をローレベルにする。
【００４２】
なお、上述のように、サブマイコン４への電力供給が開始された後、メインマイコン３からサブマイコン４に電源制御データが通信されるまでの間は、サブマイコン４は、サブマイコン４内のマスクＲＯＭに記憶しているデフォルトの電源制御データに示されるタイミングで電源制御端子４１〜４３の電圧レベルを制御する。
【００４３】
このような構成のＤＶＤレコーダ１によれば、サブマイコン４はメインマイコン３から伝達される電源制御データの示す電源制御方法で電力供給を制御するため、メインマイコン３から伝達する電源制御データ（すなわちメインマイコン３内の書き換え可能ＲＯＭに記憶されている電源制御データ）の内容（上記「動作フラグ」及び「時間データ」の値）を変更すれば、サブマイコン４による電源制御方法が変更される。従って、電源制御方法を変更する必要が生じた場合、サブマイコン４のマスクＲＯＭ化を発注しなくても、メインマイコン３から伝達する電源制御データの内容を変更することにより、電源制御方法を変更することができる。
【００４４】
しかも、商用ＡＣ電源５０に接続されてメインマイコン３に電力供給が開始されると、電源制御データがメインマイコン３からサブマイコン４に伝達されて、それ以降は、その電源制御データに示される電源制御方法でサブマイコン４により電力供給が制御される。従って、メインマイコン３に記憶している電源制御データの内容を変更するだけで電源制御方法の変更が適用され、これにより、簡単で容易な作業により電源制御方法を変更することができる。
【００４５】
さらに、メインマイコン３からサブマイコン４に通信される電源制御データは、電源制御端子４２を基準として電源制御端子４１及び４３をローレベル／ハイレベルにするタイミングを示しており、また、これらのタイミングは、電源制御端子４２よりも「早くローレベル／ハイレベルにする」か「遅くローレベル／ハイレベルにする」かの「動作フラグ」、及び電源制御端子４２よりも「早く又は遅くローレベル／ハイレベルにする時間」の「時間データ」によって示されているため、通信内容が簡素であると共に通信容量が少なくて済み、メインマイコン３及びサブマイコン４の動作の負担にならない。
【００４６】
なお、本発明は、上記実施形態の構成に限られず、種々の変形が可能である。例えば、上記実施形態において、メイン基板３０とＡＶ基板４０の２つの基板を備えている必要はなく、１つの基板にメインマイコン３、サブマイコン４、電源回路５、及び周辺装置（第１のレギュレータ７、第２のレギュレータ８、ＤＤＲＳＤＲＡＭ９、チューナ１０、ＡＶ信号処理部１１、リモコン受信部１３、ＦＬ表示管１４、ＤＶＤローダ１５）が配置されていてもよい。また、本発明は、ＤＶＤレコーダ１に限られず、例えばＶＣＲ、ハードディスクレコーダ、テレビ放送受像機、画像表示プロジェクタ、プリンタ等の電子機器にも適用可能である。
【図面の簡単な説明】
【００４７】
【図１】本発明の一実施形態に係るＤＶＤレコーダの概略構成を示す電気的ブロック構成図。
【図２】同ＤＶＤレコーダの電源制御データの通信内容を説明する図。
【図３】同ＤＶＤレコーダのサブマイコンによる電源制御端子の制御動作を示す電源制御端子の電圧波形図。
【符号の説明】
【００４８】
１    ＤＶＤレコーダ
２    ＤＶＤ
３    メインマイコン
４    サブマイコン
５    電源回路
５ａ    ＡＣコンセント
６    パワースイッチ
７    第１のレギュレータ
８    第２のレギュレータ
９    ＤＤＲＳＤＲＡＭ
１０    チューナ
１１    ＡＶ信号処理部
１２    リモコン
１３    リモコン受信部
１４    ＦＬ表示管
１５    ＤＶＤローダ
３０    メイン基板
４０    ＡＶ基板
４１〜４３    電源制御端子
５０    商用電源
５１〜５５    電源供給ライン
６１〜６４    電源制御スイッチ
【図１】
0004720346.tif 000002
【図２】
0004720346.tif 000003
【図３】
0004720346.tif 000004